(57)【要約】【課題】情報処理装置の操作性を向上させる。【解決手段】情報処理装置は、操作面を有すると共に操作面への接触操作を検出して接触位置に応じた位置指定信号を出力する位置指定部と、第１の状態と第２の状態との間で切り替わるスイッチを有すると共にスイッチが第１の状態にある間は第１の状態信号を出力する状態指定部と、を含む操作部と、操作部から位置指定信号および第１の状態信号を受領し、受領した各信号に応じて、画像を表示する画像表示装置を制御する制御部と、を備える。制御部は、位置指定信号と第１の状態信号とを継続して受領し、かつ、位置指定信号の指定する位置に所定の閾値以上の変化があった場合には、画像表示装置に対するドラッグ制御を開始し、ドラッグ制御の開始後は、位置指定信号が受領されている限り、所定の期間第１の状態信号の受領が途絶えてもドラッグ動作を継続する。【選択図】図１０
2012164033.tif 000002
【特許請求の範囲】
【請求項１】
情報処理装置であって、
操作面を有すると共に前記操作面への接触操作を検出して接触位置に応じた位置指定信号を出力する位置指定部と、第１の状態と第２の状態との間で切り替わるスイッチを有すると共に前記スイッチが前記第１の状態にある間は第１の状態信号を出力する状態指定部と、を含む操作部と、
前記操作部から前記位置指定信号および前記第１の状態信号を受領し、受領した各前記信号に応じて、画像を表示する画像表示装置を制御する制御部と、を備え、
前記制御部は、前記位置指定信号と前記第１の状態信号とを継続して受領し、かつ、前記位置指定信号の指定する位置に所定の閾値以上の変化があった場合には、前記画像表示装置にドラッグ動作を行わせるドラッグ制御を開始し、前記ドラッグ制御の開始後は、前記位置指定信号が受領されている限り、所定の期間前記第１の状態信号の受領が途絶えても前記ドラッグ動作を継続する、情報処理装置。
【請求項２】
請求項１に記載の情報処理装置であって、
前記スイッチは、前記操作面に接触して押圧する操作により前記第１の状態となるように構成されている、情報処理装置。
【請求項３】
請求項１または請求項２に記載の情報処理装置であって、
前記制御部は、前記ドラッグ制御の開始後、前記位置指定信号が受領されていても、所定の第１の期間前記第１の状態信号が受領されない場合には、前記ドラッグ制御を終了する、情報処理装置。
【請求項４】
請求項１ないし請求項３のいずれかに記載の情報処理装置であって、
前記制御部は、前記ドラッグ制御の継続中に前記第１の状態信号が受領されなくなった場合には、前記画像表示装置に所定の報知表示を行わせる、情報処理装置。
【請求項５】
請求項４に記載の情報処理装置であって、
前記制御部は、前記画像表示装置に、前記位置指定信号に対応する前記画像上の位置にポインターを表示させ、前記ドラッグ制御の継続中に前記第１の状態信号が受領されなくなった場合には、前記報知表示として、前記ドラッグ制御の継続中に前記第１の状態信号が受領されているときの第１の前記ポインターとは異なる第２の前記ポインターを表示させる、情報処理装置。
【請求項６】
請求項５に記載の情報処理装置であって、
前記制御部は、前記ドラッグ制御の継続中に前記第１の状態信号が受領されなくなったときから、時間の経過と共に、前記第２のポインターの表示を変化させる、情報処理装置。
【請求項７】
請求項１ないし請求項６のいずれかに記載の情報処理装置であって、
前記制御部は、前記ドラッグ制御の終了後、前記位置指定信号の指定する位置の変化の速度が所定の閾値以上であった場合には、前記画像表示装置にフリック動作を行わせる、情報処理装置。
【請求項８】
請求項１ないし請求項７のいずれかに記載の情報処理装置であって、
前記制御部は、前記操作部の前記操作面の領域と前記画像表示装置の有効な画像表示領域とが１対１で対応するように制御を行う、情報処理装置。
【請求項９】
操作面を有すると共に前記操作面への接触操作を検出して接触位置に応じた位置指定信号を出力する位置指定部と、第１の状態と第２の状態との間で切り替わるスイッチを有すると共に前記スイッチが前記第１の状態にある間は第１の状態信号を出力する状態指定部と、を含む操作部を有する情報処理装置の制御方法であって、
前記操作部から前記位置指定信号および前記第１の状態信号を受領し、受領した各前記信号に応じて、画像を表示する画像表示装置を制御する工程を備え、
前記制御する工程は、前記位置指定信号と前記第１の状態信号とを継続して受領し、かつ、前記位置指定信号の指定する位置に所定の閾値以上の変化があった場合には、前記画像表示装置にドラッグ動作を行わせるドラッグ制御を開始し、前記ドラッグ制御の開始後は、前記位置指定信号が受領されている限り、所定の期間前記第１の状態信号の受領が途絶えても前記ドラッグ動作を継続する工程である、方法。
【請求項１０】
頭部装着型表示装置であって、
画像を表す画像光を生成する画像光生成部と、生成された前記画像光を使用者の眼に導く導光部と、を有し、使用者の頭部に装着された状態において使用者に虚像を視認させる画像表示部と、
操作面を有すると共に前記操作面への接触操作を検出して接触位置に応じた位置指定信号を出力する位置指定部と、第１の状態と第２の状態との間で切り替わるスイッチを有すると共に前記スイッチが前記第１の状態にある間は第１の状態信号を出力する状態指定部と、を含む操作部と、
前記操作部から前記位置指定信号および前記第１の状態信号を受領し、受領した各前記信号に応じて、前記画像表示部を制御する制御部と、を備え、
前記制御部は、前記位置指定信号と前記第１の状態信号とを継続して受領し、かつ、前記位置指定信号の指定する位置に所定の閾値以上の変化があった場合には、前記画像表示装置にドラッグ動作を行わせるドラッグ制御を開始し、前記ドラッグ制御の開始後は、前記位置指定信号が受領されている限り、所定の期間前記第１の状態信号の受領が途絶えても前記ドラッグ動作を継続する、頭部装着型表示装置。
【請求項１１】
頭部装着型表示装置であって、
画像を表す画像光を生成する画像光生成部と、生成された前記画像光を使用者の眼に導く導光部と、を有し、使用者の頭部に装着された状態において使用者に虚像を視認させる画像表示部と、
操作面を有すると共に前記操作面への接触操作および接触位置を検出する位置指定部と、第１の状態と第２の状態との間で切り替わるスイッチを有すると共に前記スイッチが前記第１の状態にあることを検出する状態指定部と、を含む操作部と、を備え、
前記位置指定部が前記接触操作を継続して検出すると共に前記状態指定部が前記スイッチが継続して前記第１の状態にあることを検出し、かつ、前記操作面への接触位置に所定の閾値以上の変化があった場合には、前記画像表示部は、前記接触位置に応じて前記虚像上におけるドラッグ動作を開始し、前記ドラッグ動作の開始後は、前記位置指定部が前記接触操作を検出している限り、所定の期間、前記状態指定部が前記スイッチが前記第１の状態にあることを検出しなくても前記ドラッグ動作を継続する、頭部装着型表示装置。
【発明の詳細な説明】
【技術分野】
【０００１】
本発明は、情報処理装置および情報処理装置の制御方法、頭部装着型表示装置に関する。
【背景技術】
【０００２】
パーソナルコンピューター等の情報処理装置に対する使用者の操作デバイスや操作方法が種々提案されている（例えば、特許文献１参照）。情報処理装置に対する使用者の操作として、例えばスイッチ押し下げによる選択操作を継続しつつ、位置指定デバイスにより位置変更操作を行うドラッグ操作やフリック操作が広く知られている。
【先行技術文献】
【特許文献】
【０００３】
【特許文献１】特開平１０−１３３８４０号公報
【発明の概要】
【発明が解決しようとする課題】
【０００４】
しかし、従来の情報処理装置の操作では、例えばドラッグ操作中に意図せずにスイッチ押し下げ操作が解除されてドラッグ動作が終了してしまう場合のように、使用者の意図通りの操作ができない場合があり、操作性に向上の余地があった。
【０００５】
本発明は、上述の課題を解決するためになされたものであり、情報処理装置の操作性を向上させることを目的とする。
【課題を解決するための手段】
【０００６】
上記課題の少なくとも一部を解決するために、本発明は、以下の形態または適用例として実現することが可能である。
【０００７】
［適用例１］情報処理装置であって、
操作面を有すると共に前記操作面への接触操作を検出して接触位置に応じた位置指定信号を出力する位置指定部と、第１の状態と第２の状態との間で切り替わるスイッチを有すると共に前記スイッチが前記第１の状態にある間は第１の状態信号を出力する状態指定部と、を含む操作部と、
前記操作部から前記位置指定信号および前記第１の状態信号を受領し、受領した各前記信号に応じて、画像を表示する画像表示装置を制御する制御部と、を備え、
前記制御部は、前記位置指定信号と前記第１の状態信号とを継続して受領し、かつ、前記位置指定信号の指定する位置に所定の閾値以上の変化があった場合には、前記画像表示装置にドラッグ動作を行わせるドラッグ制御を開始し、前記ドラッグ制御の開始後は、前記位置指定信号が受領されている限り、所定の期間前記第１の状態信号の受領が途絶えても前記ドラッグ動作を継続する、情報処理装置。
【０００８】
この情報処理装置では、制御部が、位置指定信号と第１の状態信号とを継続して受領し、かつ、位置指定信号の指定する位置に所定の閾値以上の変化があった場合には、ドラッグ制御を開始し、ドラッグ制御の開始後は、位置指定信号が受領されている限り、所定の期間第１の状態信号の受領が途絶えてもドラッグ動作を継続するため、使用者が意図せずにスイッチを第１の状態から第２の状態にしてしまってもドラッグ動作が終了してしまうことがなく、操作性を向上させることができる。
【０００９】
［適用例２］適用例１に記載の情報処理装置であって、
前記スイッチは、前記操作面に接触して押圧する操作により前記第１の状態となるように構成されている、情報処理装置。
【００１０】
この情報処理装置では、ドラッグ制御の継続中に意図せずに操作面の押圧を解除してしまい、スイッチが第２の状態となりやすいが、このような構成においても、使用者の意図しないドラッグ動作の終了を回避することができ、操作性を向上させることができる。
【００１１】
［適用例３］適用例１または適用例２に記載の情報処理装置であって、
前記制御部は、前記ドラッグ制御の開始後、前記位置指定信号が受領されていても、所定の第１の期間前記第１の状態信号が受領されない場合には、前記ドラッグ制御を終了する、情報処理装置。
【００１２】
この情報処理装置では、所定の第１の期間第１の状態信号が受領されない場合には、使用者の意図的な操作と判断してドラッグ制御を終了することができ、操作性をさらに向上させることができる。
【００１３】
［適用例４］適用例１ないし適用例３のいずれかに記載の情報処理装置であって、
前記制御部は、前記ドラッグ制御の継続中に前記第１の状態信号が受領されなくなった場合には、前記画像表示装置に所定の報知表示を行わせる、情報処理装置。
【００１４】
この情報処理装置では、使用者に、スイッチが第２の状態になったことを認識させることができ、さらに操作性を向上させることができる。
【００１５】
［適用例５］適用例４に記載の情報処理装置であって、
前記制御部は、前記画像表示装置に、前記位置指定信号に対応する前記画像上の位置にポインターを表示させ、前記ドラッグ制御の継続中に前記第１の状態信号が受領されなくなった場合には、前記報知表示として、前記ドラッグ制御の継続中に前記第１の状態信号が受領されているときの第１の前記ポインターとは異なる第２の前記ポインターを表示させる、情報処理装置。
【００１６】
この情報処理装置では、位置指定信号に対応する画像上の位置に表示するポインターを、スイッチが第２の状態になったことを報知する報知表示としても利用することができる。
【００１７】
［適用例６］適用例５に記載の情報処理装置であって、
前記制御部は、前記ドラッグ制御の継続中に前記第１の状態信号が受領されなくなったときから、時間の経過と共に、前記第２のポインターの表示を変化させる、情報処理装置。
【００１８】
この情報処理装置では、使用者に、容易に報知表示を気付かせることができ、さらに操作性を向上させることができる。
【００１９】
［適用例７］適用例１ないし適用例６のいずれかに記載の情報処理装置であって、
前記制御部は、前記ドラッグ制御の終了後、前記位置指定信号の指定する位置の変化の速度が所定の閾値以上であった場合には、前記画像表示装置にフリック動作を行わせる、情報処理装置。
【００２０】
この情報処理装置では、ドラッグ制御の終了後、位置指定信号の指定する位置の変化の速度が所定の閾値以上であった場合には、フリック動作が行われるため、フリック動作を試みた使用者が意図せずにスイッチを第１の状態から第２の状態にしてしまってもフリック動作が実行され、操作性を向上させることができる。
【００２１】
［適用例８］適用例１ないし適用例７のいずれかに記載の情報処理装置であって、
前記制御部は、前記操作部の前記操作面の領域と前記画像表示装置の有効な画像表示領域とが１対１で対応するように制御を行う、情報処理装置。
【００２２】
この情報処理装置では、操作面への接触操作がある状態のときには操作面における接触位置に対応する画像表示装置の表示領域に位置を特定する表示を行い、操作面への接触操作が無い状態のときには画像表示装置の表示領域に位置を特定する表示を行わないとすることができ、操作面への接触操作をクリック操作として扱わず、接触操作によってユーザーにクリック操作の前に操作体の位置を教えることができるようになる。これにより、操作面と画像表示装置の表示領域とが分離されている場合でも、使用者は操作面を見ることなく多彩な情報の入力ができるようになり、操作性を向上させることができる。
【００２３】
［適用例９］頭部装着型表示装置であって、
画像を表す画像光を生成する画像光生成部と、生成された前記画像光を使用者の眼に導く導光部と、を有し、使用者の頭部に装着された状態において使用者に虚像を視認させる画像表示部と、
操作面を有すると共に前記操作面への接触操作を検出して接触位置に応じた位置指定信号を出力する位置指定部と、第１の状態と第２の状態との間で切り替わるスイッチを有すると共に前記スイッチが前記第１の状態にある間は第１の状態信号を出力する状態指定部と、を含む操作部と、
前記操作部から前記位置指定信号および前記第１の状態信号を受領し、受領した各前記信号に応じて、前記画像表示部を制御する制御部と、を備え、
前記制御部は、前記位置指定信号と前記第１の状態信号とを継続して受領し、かつ、前記位置指定信号の指定する位置に所定の閾値以上の変化があった場合には、前記画像表示装置にドラッグ動作を行わせるドラッグ制御を開始し、前記ドラッグ制御の開始後は、前記位置指定信号が受領されている限り、所定の期間前記第１の状態信号の受領が途絶えても前記ドラッグ動作を継続する、頭部装着型表示装置。
【００２４】
この頭部装着型表示装置では、制御部が、位置指定信号と第１の状態信号とを継続して受領し、かつ、位置指定信号の指定する位置に所定の閾値以上の変化があった場合には、ドラッグ制御を開始し、ドラッグ制御の開始後は、位置指定信号が受領されている限り、所定の期間第１の状態信号の受領が途絶えてもドラッグ動作を継続するため、使用者が意図せずにスイッチを第１の状態から第２の状態にしてしまってもドラッグ動作が終了してしまうことがなく、操作性を向上させることができる。
【００２５】
［適用例１０］頭部装着型表示装置であって、
頭部装着型表示装置であって、
画像を表す画像光を生成する画像光生成部と、生成された前記画像光を使用者の眼に導く導光部と、を有し、使用者の頭部に装着された状態において使用者に虚像を視認させる画像表示部と、
操作面を有すると共に前記操作面への接触操作および接触位置を検出する位置指定部と、第１の状態と第２の状態との間で切り替わるスイッチを有すると共に前記スイッチが前記第１の状態にあることを検出する状態指定部と、を含む操作部と、を備え、
前記位置指定部が前記接触操作を継続して検出すると共に前記状態指定部が前記スイッチが継続して前記第１の状態にあることを検出し、かつ、前記操作面への接触位置に所定の閾値以上の変化があった場合には、前記画像表示部は、前記接触位置に応じて前記虚像上におけるドラッグ動作を開始し、前記ドラッグ動作の開始後は、前記位置指定部が前記接触操作を検出している限り、所定の期間、前記状態指定部が前記スイッチが前記第１の状態にあることを検出しなくても前記ドラッグ動作を継続する、頭部装着型表示装置。
【００２６】
この頭部装着型表示装置では、位置指定部が接触操作を継続して検出すると共に状態指定部がスイッチが継続して第１の状態にあることを検出し、かつ、操作面への接触位置に所定の閾値以上の変化があった場合には、画像表示部が、接触位置に応じて虚像上におけるドラッグ動作を開始し、ドラッグ動作の開始後は、位置指定部が接触操作を検出している限り、所定の期間、状態指定部がスイッチが第１の状態にあることを検出しなくてもドラッグ動作を継続するため、使用者が意図せずにスイッチを第１の状態から第２の状態にしてしまってもドラッグ動作が終了してしまうことがなく、操作性を向上させることができる。
【００２７】
なお、本発明は、種々の態様で実現することが可能であり、例えば、情報処理装置および情報処理装置の制御方法、頭部装着型表示装置および頭部装着型表示装置の制御方法、情報処理システム、頭部装着型表示システム、これらの方法、装置またはシステムの機能を実現するためのコンピュータープログラム、そのコンピュータープログラムを記録した記録媒体、そのコンピュータープログラムを含み搬送波内に具現化されたデータ信号、等の形態で実現することができる。
【図面の簡単な説明】
【００２８】
【図１】本発明の第１実施例における頭部装着型表示装置１００の外観構成を示す説明図である。
【図２】頭部装着型表示装置１００の構成を機能的に示す説明図である。
【図３】使用者に認識される虚像の一例を示す説明図である。
【図４】タッチパッド１４の詳細構成を示す説明図である。
【図５】第１実施例における操作制御処理の流れを示すフローチャートである。
【図６】第１実施例における操作制御処理の流れを示すフローチャートである。
【図７】第１実施例におけるタッチパッド１４の操作状態に応じた虚像ＶＩの表示状態の一例を示す説明図である。
【図８】第１実施例におけるタッチパッド１４の操作状態に応じた虚像ＶＩの表示状態の一例を示す説明図である。
【図９】第１実施例におけるタッチパッド１４の操作状態に応じた虚像ＶＩの表示状態の一例を示す説明図である。
【図１０】第２実施例における操作制御処理の流れを示すフローチャートである。
【図１１】第２実施例におけるタッチパッド１４の操作状態に応じた虚像ＶＩの表示状態の一例を示す説明図である。
【発明を実施するための形態】
【００２９】
次に、本発明の実施の形態を実施例に基づいて以下の順序で説明する。
Ａ．第１実施例：
Ａ−１．装置構成：
Ａ−２．操作制御処理：
Ｂ．第２実施例：
Ｃ．変形例：
【００３０】
Ａ．第１実施例：
Ａ−１．装置構成：
図１は、本発明の第１実施例における頭部装着型表示装置１００の外観構成を示す説明図である。頭部装着型表示装置１００は、頭部に装着する表示装置であり、ヘッドマウントディスプレイ（Head  Mounted  Display、ＨＭＤ）とも呼ばれる。本実施例の頭部装着型表示装置１００は、使用者が、虚像を視認すると同時に外景も直接視認可能な光学透過型の頭部装着型表示装置である。
【００３１】
頭部装着型表示装置１００は、使用者の頭部に装着された状態において使用者に虚像を視認させる画像表示部２０と、画像表示部２０を制御する制御部（コントローラー）１０と、を備えている。
【００３２】
画像表示部２０は、使用者の頭部に装着される装着体であり、本実施例では眼鏡のような形状である。画像表示部２０は、テンプル（つる）として機能する耳掛部２１と、使用者が画像表示部２０を装着した状態においてそれぞれ使用者の右および左の眼の前に位置する右光学パネル２６および左光学パネル２８と、を有している。また、右耳用の耳掛部２１と右光学パネル２６との接続箇所には、右表示駆動部２２が配置され、左耳用の耳掛部２１と左光学パネル２８との接続箇所には、左表示駆動部２４が配置されている。以降の説明では、右表示駆動部２２および左表示駆動部２４をまとめて単に「表示駆動部」とも呼び、右光学パネル２６および左光学パネル２８をまとめて単に「光学パネル」とも呼ぶ。
【００３３】
画像表示部２０は、また、右耳用の右イヤホン３２および左耳用の左イヤホン３４を有する。右イヤホン３２および左イヤホン３４は、使用者が画像表示部２０を装着した際に、それぞれ右および左の耳に装着される。
【００３４】
画像表示部２０は、さらに、画像表示部２０を制御部１０に接続するための接続部４０を有している。接続部４０は、制御部１０に接続される本ケーブル４８と、本ケーブル４８が２本に分岐した右ケーブル４２および左ケーブル４４と、分岐点に設けられた連結部４６と、を含んでいる。右ケーブル４２は、右表示駆動部２２に接続されており、左ケーブル４４は、左表示駆動部２４に接続されている。画像表示部２０と制御部１０とは、接続部４０を介して各種信号の伝送を行う。本ケーブル４８における連結部４６とは反対側の端部と制御部１０とのそれぞれには、互いに嵌合するコネクター（不図示）が設けられており、本ケーブル４８のコネクターと制御部１０のコネクターとの嵌合／嵌合解除により、制御部１０と画像表示部２０とが接続されたり切り離されたりする。
【００３５】
制御部１０は、画像表示部２０による画像表示を制御する装置である。制御部１０は、本発明における情報処理装置に相当する。制御部１０は、電源のＯＮ／ＯＦＦを切り換える電源スイッチ１８と、頭部装着型表示装置１００の動作状態（例えば、電源のＯＮ／ＯＦＦ状態）を発光状態によって通知する点灯部１２と、使用者の指操作を検出して指操作に応じた信号を出力するタッチパッド１４と、上下左右方向に対応するキーの押下操作を検出して操作に応じた信号を出力する十字キー１６と、を有している。点灯部１２としては、例えば、１つまたは複数のＬＥＤランプを用いることができる。タッチパッド１４としては、静電式や圧力検出式、光学式といった種々のタッチパッドを採用することができる。なお、タッチパッド１４の詳細構成は後述する。
【００３６】
図２は、頭部装着型表示装置１００の構成を機能的に示す説明図である。図２に示すように、制御部１０は、ＣＰＵ１４０と、ＲＯＭやＲＡＭ等により構成された記憶部１２０と、頭部装着型表示装置１００の各部に電力を供給する電源１３０と、使用者により操作される操作部１１０（本実施例では、タッチパッド１４、十字キー１６、電源スイッチ１８）と、画像（静止画像、動画像）や音声等のコンテンツデータの供給元となる種々の外部機器ＯＡ（例えば、パーソナルコンピューターＰＣや携帯電話端末、ゲーム端末）を接続するためのインターフェイス１８０と、を有している。電源１３０としては、例えば二次電池を用いることができ、インターフェイス１８０としては、例えばＵＳＢインターフェイスやメモリーカード用インターフェイス、無線ＬＡＮインターフェイス等を採用することができる。
【００３７】
記憶部１２０には、種々のコンピュータープログラムが格納されており、ＣＰＵ１４０は、記憶部１２０からコンピュータープログラムを読み出して実行することにより、オペレーティングシステム（ＯＳ）１５０や、操作制御部１１２、画像処理部１６０、表示制御部１９０、音声処理部１７０として機能する。
【００３８】
操作制御部１１２は、操作部１１０を制御し、操作部１１０における使用者の操作に応じた動作を表示制御部１９０や画像処理部１６０等に行わせる。
【００３９】
画像処理部１６０は、インターフェイス１８０を介して入力されるコンテンツデータに基づき、垂直同期信号ＶＳｙｎｃ、水平同期信号ＨＳｙｎｃ、画像データＤａｔａを生成し、接続部４０を介してこれらの信号を画像表示部２０に供給する。具体的には、画像処理部１６０は、コンテンツデータに含まれる画像信号（例えば、１秒あたり３０枚のフレーム画像から構成されるアナログ信号）を取得し、取得した画像信号から垂直同期信号ＶＳｙｎｃや水平同期信号ＨＳｙｎｃ等の同期信号を分離し、同期信号が分離されたアナログ画像信号をデジタル画像信号に変換して画像データＤａｔａを生成する。なお、画像処理部１６０は、必要に応じて、画像データに対する解像度変換処理や色調補正処理等を実行してもよい。
【００４０】
表示制御部１９０は、右表示駆動部２２および左表示駆動部２４を制御する制御信号を生成し、接続部４０を介して画像表示部２０に供給することにより、画像表示部２０における画像表示状態を制御する。具体的には、表示制御部１９０は、制御信号により、右ＬＣＤ制御部２１１による右ＬＣＤ２４１の駆動ＯＮ／ＯＦＦや右光源制御部２０１による右光源２２１の駆動ＯＮ／ＯＦＦや、左ＬＣＤ制御部２１２による左ＬＣＤ２４２の駆動ＯＮ／ＯＦＦや左光源制御部２０２による左光源２２２の駆動ＯＮ／ＯＦＦを個別に制御することにより、右表示駆動部２２および左表示駆動部２４のそれぞれによる画像光の生成の有無を制御する。例えば、表示制御部１９０は、右表示駆動部２２および左表示駆動部２４の両方に画像光を生成させたり、一方のみに画像光を生成させたり、両方共に画像光を生成させなかったりする。
【００４１】
音声処理部１７０は、コンテンツデータに含まれる音声信号を取得し、取得した音声信号を増幅して、画像表示部２０の右イヤホン３２および左イヤホン３４に接続部４０を介して供給する。
【００４２】
画像表示部２０の右表示駆動部２２は、例えばＬＥＤランプにより構成された右光源２２１と、制御部１０から供給される制御信号に基づいて右光源２２１を駆動する右光源制御部２０１と、右光源２２１から照射される照明光を画像を表す画像光へと変調する右液晶ディスプレイ（ＬＣＤ）２４１と、制御部１０から供給される垂直同期信号ＶＳｙｎｃ、水平同期信号ＨＳｙｎｃ、画像データＤａｔａに基づいて右ＬＣＤ２４１を駆動制御する右ＬＣＤ制御部２１１と、を有している。右ＬＣＤ２４１は、例えば透過型液晶パネルを用いて構成される。右光源２２１と右光源制御部２０１と右ＬＣＤ２４１と右ＬＣＤ制御部２１１とは、本発明における画像光生成部に相当する。右表示駆動部２２は、また、生成された画像光を投写する右投写光学系２５１を有している。右投写光学系２５１は、例えばコリメートレンズを用いて構成される。
【００４３】
画像表示部２０の右光学パネル２６（図１）は、右導光板２６１を有しており、右導光板２６１は、右投写光学系２５１から出力された画像光を、所定の光路に沿って反射させつつ使用者の右眼に導く。なお、右投写光学系２５１と右導光板２６１とは、本発明における導光部に相当する。
【００４４】
左表示駆動部２４は、右表示駆動部２２と同様に、左光源２２２と、左光源制御部２０２と、左ＬＣＤ２４２と、左ＬＣＤ制御部２１２と、左投写光学系２５２と、を含んでいる。左表示駆動部２４に含まれる各要素の構成や機能は、右表示駆動部２２に含まれる各要素と同様であるため、ここでは説明を省略する。また、画像表示部２０の左光学パネル２８は、左導光板２６２を有しており、左導光板２６２は、左投写光学系２５２から出力された画像光を、所定の光路に沿って反射させつつ使用者の左眼に導く。左光源２２２と左光源制御部２０２と左ＬＣＤ２４２と左ＬＣＤ制御部２１２とは、本発明における画像光生成部に相当し、左投写光学系２５２と左導光板２６２とは、本発明における導光部に相当する。
【００４５】
このようにして、頭部装着型表示装置１００の使用者の両眼に導かれた画像光が網膜に結像することにより、使用者は虚像を視認する。図３は、使用者に認識される虚像の一例を示す説明図である。図３に示すように、頭部装着型表示装置１００の使用者の視野ＶＲ内には虚像ＶＩが表示される。また、使用者の視野ＶＲの内、虚像ＶＩが表示された部分以外については、使用者は、右光学パネル２６および左光学パネル２８を透過して、外景ＳＣを見ることができる。なお、本実施例の頭部装着型表示装置１００では、使用者の視野ＶＲの内の虚像ＶＩが表示された部分についても、虚像ＶＩの背後に外景ＳＣが透けて見えるようになっている。
【００４６】
なお、右光学パネル２６および左光学パネル２８は、右導光板２６１および左導光板２６２の前面側（使用者の眼の側とは反対の側）に設けられ、光透過率を調整可能な調光板を有しているとしてもよい。調光板を設けると、調光板の光透過率を調整することにより、使用者の眼に入る外光量を調整し、虚像の視認のしやすさを調整することができる。
【００４７】
図４は、タッチパッド１４の詳細構成を示す説明図である。タッチパッド１４は、位置指定部５１と、状態指定部５２と、緩衝材５３と、を有している。位置指定部５１は、操作面ＯＦを有し、操作面ＯＦへの使用者の指等の接触操作を検出して接触位置に応じた位置指定信号を操作制御部１１２に出力する。本実施例では、位置指定部５１として、静電容量式のタッチパッドが用いられる。
【００４８】
状態指定部５２は、通常時はオフ状態にあり押し下げによりオン状態となるスイッチを有し、スイッチがオン状態にある間はオン状態信号を操作制御部１１２に出力する。なお、本実施例におけるスイッチのオン状態は、本発明における第１の状態に相当し、スイッチのオフ状態は、本発明における第２の状態に相当し、オン状態信号は、本発明における第１の状態信号に相当する。
【００４９】
図４に示すように、位置指定部５１は、筐体ＢＯの第１の面Ｆ１に設けられた開口ＯＰから操作面ＯＦが露出するように、筐体ＢＯの内部に設けられている。第１の面Ｆ１に対向する第２の面Ｆ２と位置指定部５１の両端部近辺との間には、弾性材料で形成された緩衝材５３が配置されており、通常時には、緩衝材５３によって位置指定部５１が開口ＯＰの外側の支点５４に押し付けられている。また、状態指定部５２は、筐体ＢＯの第２の面Ｆ２と位置指定部５１との間に配置されている。使用者が位置指定部５１の操作面ＯＦに接触して押圧する操作を行うと、緩衝材５３が弾性変形して位置指定部５１が第２の面Ｆ２側に移動し、状態指定部５２のスイッチが押し下げられてオン状態となる。また、使用者が押圧操作を中止すると、緩衝材５３が復元して位置指定部５１を筐体ＢＯの第１の面Ｆ１側に移動させ、状態指定部５２のスイッチがオフ状態となる。このように、本実施例では、状態指定部５２のスイッチをオン状態にするには、操作面ＯＦへの接触操作が必要であり、操作面ＯＦへの接触操作が無い状態ではスイッチは必ずオフ状態となる。
【００５０】
Ａ−２．操作制御処理：
図５および図６は、第１実施例における操作制御処理の流れを示すフローチャートである。操作制御処理は、制御部１０が、使用者による操作部１１０（タッチパッド１４）の操作に応じて、画像表示部２０を制御する処理である。図７ないし図９は、第１実施例におけるタッチパッド１４の操作状態に応じた虚像ＶＩの表示状態の一例を示す説明図である。図７（ａ）には、使用者がタッチパッド１４に触れていない状態（すなわち状態指定部５２のスイッチもオフ状態である状態）を示している。この状態で、使用者の視野ＶＲに、アイコンＩＣを含む虚像ＶＩが表示されているものとする。
【００５１】
制御部１０の操作制御部１１２は、タッチパッド１４の状態指定部５２の操作面ＯＦへの使用者の指の接触の有無を監視している（図５のステップＳ１１０）。具体的には、操作制御部１１２は、位置指定部５１からの、操作面ＯＦへの指接触位置に応じた位置指定信号の出力の有無を監視する。使用者が指で操作面ＯＦに触れ、位置指定部５１から位置指定信号が出力されて操作面ＯＦへの接触が検出されると（ステップＳ１１０：ＹＥＳ）、操作制御部１１２は、受領された位置指定信号に基づき指の接触位置を検出し（ステップＳ１２０）、画像処理部１６０を介して、画像表示部２０に、指の接触位置に対応する虚像ＶＩ上の位置に指位置マークＦＰを表示させる（ステップＳ１３０）。なお、信号やデータの受領は、信号やデータの受信とも表現できる。
【００５２】
図７（ｂ）には、使用者がタッチパッド１４の操作面ＯＦを指で軽く触れた状態（状態指定部５２のスイッチは依然としてオフ状態である）を示している。この状態では、タッチパッド１４の操作面ＯＦにおける指の接触位置に対応する虚像ＶＩ上の位置に、指位置マークＦＰが表示されている。指位置マークＦＰは、ポインターとして機能する。
【００５３】
操作制御部１１２は、また、操作面ＯＦへの指の接触が検出されている間（ステップＳ１４０：ＹＥＳ）、タッチパッド１４の状態指定部５２のスイッチの状態を監視している（ステップＳ１５０）。具体的には、操作制御部１１２は、状態指定部５２からの、スイッチがオン状態にあることを示すオン状態信号の出力の有無を監視する。状態指定部５２からオン状態信号が出力されておらず、かつ、操作面ＯＦへの指の接触が継続して検出されている間は、指の接触位置の検出（ステップＳ１２０）と指の接触位置に対応する虚像ＶＩ上の位置への指位置マークＦＰの表示（ステップＳ１３０）とが繰り返し実行される。
【００５４】
図７（ｃ）には、使用者がタッチパッド１４の操作面ＯＦを指で触れた状態で、指の位置を動かしている様子を示している。虚像ＶＩ上に表示された指位置マークＦＰは、操作面ＯＦ上での使用者の指の動きに連動して移動する。
【００５５】
なお、本実施例では、絶対座標方式を採用しており、タッチパッド１４の位置指定部５１の操作面ＯＦの領域と虚像ＶＩ表示のための有効な画像表示領域とが１対１で対応している。ここで、タッチパッド１４の位置指定部５１の操作面ＯＦの領域と虚像ＶＩ表示のための有効な画像表示領域とが１対１で対応しているとは、操作面ＯＦの領域内の座標位置が画像表示部２０の画像表示領域の座標位置に１対１で対応付けられていることを意味する。例えば、タッチパッド１４の操作面ＯＦに操作体（例えば指）が接触状態にあるときには、操作面ＯＦにおける接触位置に対応する画像表示部２０の表示領域における位置に位置特定マーク（ポインター等）が表示される。また、操作体が操作面ＯＦに接触していない状態のときには、画像表示部２０の表示領域には位置特定マークが表示されない。一般のペン入力デジタイザーのような入力装置は、ペンが操作面から離れていてもアイコンを表示する。これに対して、本実施例におけるタッチパッド１４では、操作体を操作面ＯＦから離すと位置特定マークが非表示になるが、該操作体を操作面ＯＦに接触させたときに位置特定マークを表示させることができる。こうすることで、従来の入力装置のように操作面ＯＦへの接触がクリック操作として扱われなくなり、操作するユーザーに、クリック操作の前に操作体の位置を教えることができるようになる。これにより、操作面ＯＦと画像表示部２０の表示領域とが分離された場合でも、ユーザーは、自身の操作元を見ることなく多彩な情報の入力ができるようになる。また、使用者が操作面ＯＦの一方の端から他方の端まで指でなぞると、指位置マークＦＰは虚像ＶＩを表示する領域の一方の端から他方の端まで移動する。これにより、使用者による迅速で正確な位置指定が実現される。
【００５６】
位置指定部５１からの位置指定信号が受領されなくなると、操作制御部１１２は、操作面ＯＦから指が離れたことを検出する（ステップＳ１４０：ＹＥＳ）。この場合には、操作制御部１１２は、画像処理部１６０を介して指位置マークＦＰを非表示とさせ、処理を終了する。図７（ｄ）には、使用者がタッチパッド１４の操作面ＯＦから指を離し、虚像ＶＩ上の指位置マークＦＰが非表示となった状態を示している。
【００５７】
使用者が位置指定部５１の操作面ＯＦを押圧し、状態指定部５２からオン状態信号が出力されてスイッチがオン状態になったことが検出されると（ステップＳ１５０：ＹＥＳ）、操作制御部１１２は、画像処理部１６０を介して、画像表示部２０に、指の接触位置に対応する虚像ＶＩ上の位置に押下マークＰＰを表示させる（ステップＳ１６０）。なお、本実施例では、指の接触位置に対応する虚像ＶＩ上の位置に選択可能なオブジェクトが配置されている場合には、当該オブジェクトが選択状態となる。
【００５８】
図８（ａ）には、使用者がタッチパッド１４の操作面ＯＦを指で触れ、虚像ＶＩに表示されたアイコンＩＣに対応する位置まで指を動かした状態を示している。この状態では、虚像ＶＩ上において、指位置マークＦＰがアイコンＩＣに重ねて表示される。また、図８（ｂ）には、使用者がタッチパッド１４の操作面ＯＦを指で押圧し、状態指定部５２のスイッチがオン状態となった状態を示している。この状態では、操作面ＯＦにおける指の接触位置に対応する虚像ＶＩ上の位置に、押下マークＰＰが表示される。また、アイコンＩＣは選択状態となる。なお、押下マークＰＰは、指位置マークＦＰと同様に、ポインターとして機能する。押下マークＰＰは、指位置マークＦＰとは色・形・大きさ等の少なくとも１つが異なるマークとなっており、使用者は、スイッチをオン状態としたことを虚像ＶＩ上の表示によって認識することができる。
【００５９】
スイッチがオン状態になった後、指位置の変化が検出されることなく、所定のクリック判定時間内にスイッチがオフ状態に戻ったことが検出されると（ステップＳ１７０：ＹＥＳ）、操作制御部１１２は、使用者の操作がクリック操作であると判断し、クリック操作に予め対応付けられた動作（クリック動作）を行う（ステップＳ１８０）。このように、本実施例におけるクリック操作は、ユーザーの指によりタッチパッド１４の操作面ＯＦに圧力を加えることにより状態指定部５２のスイッチを押下してオン状態とし、操作面ＯＦにおける指の接触位置を維持したまま比較的短時間で（すなわち、上記クリック判定時間内に）スイッチのオン状態を解除する操作である。なお、クリック動作としては、虚像ＶＩとして表示するコンテンツに応じて、種々の動作を設定することができる。
【００６０】
また、指位置の所定の閾値以上の変化が検出されることなく、スイッチのオン状態が所定のクリック判定時間より長く継続すると（ステップＳ１９０：ＮＯ）、操作制御部１１２は、使用者の操作が長クリック操作であると判断し、長クリック操作に予め対応付けられた動作（長クリック動作）を行う（ステップＳ２００）。このように、本実施例における長クリック操作は、ユーザーの指によりタッチパッド１４の操作面ＯＦに圧力を加えることにより状態指定部５２のスイッチを押下してオン状態とし、操作面ＯＦにおける指の接触位置を維持したまま比較的長時間経過後に（すなわち、上記クリック判定時間経過後に）スイッチのオン状態を解除する操作である。なお、長クリック動作としては、虚像ＶＩとして表示するコンテンツに応じて、種々の動作を設定することができる。
【００６１】
クリック動作および長クリック動作の後、操作面ＯＦへの指の接触が継続して検出されている場合には（ステップＳ２１０：ＮＯ）、操作制御部１１２は、指の接触位置の検出（ステップＳ１２０）および指の接触位置に対応する位置への指位置マークＦＰの表示（ステップＳ１３０）を実行する。また、クリック動作および長クリック動作の後、操作面ＯＦから指が離れたと判定された場合には（ステップＳ２１０：ＹＥＳ）、操作制御部１１２は処理を終了する。
【００６２】
スイッチがオン状態になった後、所定のクリック判定時間内に、操作面ＯＦ上における指位置の所定の閾値以上の変化が検出されると（ステップＳ１９０：ＹＥＳ）、操作制御部１１２は、使用者の操作がドラッグ操作であると判断し、画像表示部２０にドラッグ操作に予め対応付けられた動作（ドラッグ動作）を行わせるための制御（ドラッグ制御）を行う（ステップＳ２３０）。このように、本実施例におけるドラッグ操作は、状態指定部５２のスイッチを押下してオン状態とし、タッチパッド１４の操作面ＯＦにおける指の接触位置を所定の期間以上維持（固定）した後、指の接触位置を移動させ、スイッチを押下したときと別の位置で操作面ＯＦから指を離す操作である。なお、ステップＳ１９０の判定に使用される所定の閾値は、意図的でない指の微小の動きによってドラッグ制御が開始されないように、予め適当な値に設定される。また、スイッチがオン状態になった後に操作面ＯＦ上における指位置の変化が検出された場合とは、スイッチのオン状態を示すオン状態信号と操作面ＯＦにおける指の接触位置を示す位置指定信号が共に受領されており、かつ、位置指定信号の指定する位置に変化があった場合である。
【００６３】
図６には、ドラッグ動作（図５のステップＳ２３０）の流れを示している。ドラッグ動作では、操作制御部１１２は、位置指定信号に基づき指位置を検出し（ステップＳ３１０）、画像処理部１６０を介して画像表示部２０に指位置に応じたドラッグ表示を行わせる（ステップＳ３２０）。図８（ｃ）には、使用者がタッチパッド１４の操作面ＯＦを指で押圧して状態指定部５２のスイッチをオン状態とし、操作面ＯＦ上で指を移動させている様子を示している。ドラッグ表示では、虚像ＶＩ上に表示される押下マークＰＰが、操作面ＯＦ上における使用者の指の移動に応じて移動される。また、図８（ｂ）に示すようにアイコンＩＣが選択状態にある場合には、アイコンＩＣが押下マークＰＰと共に、操作面ＯＦ上における使用者の指の移動に応じて移動される。
【００６４】
ドラッグ表示中に、操作制御部１１２は、位置指定部５１から位置指定信号が受領されているかを監視し（ステップＳ３３０）、位置指定信号が受領されず、操作面ＯＦから指が離れたことを検出すると（ステップＳ３３０：ＹＥＳ）、ドラッグ動作を終了する（ステップＳ３４０）。操作制御部１１２は、頭部装着型表示装置１００の画像表示部２０に、操作面ＯＦに対して指が非接触となった位置に対応した画像表示部２０内における表示位置においてドラッグにより移動させたオブジェクトを通常表示に戻すと共にポインターを非表示とさせる処理を行う。図８（ｄ）には、使用者がタッチパッド１４の操作面ＯＦから指を離したためにドラッグ操作が終了し、虚像ＶＩ上の押下マークＰＰが非表示となった状態を示している。
【００６５】
ここで、本実施例では、上述したように、ドラッグ制御（ドラッグ動作）の開始後は、位置指定部５１から位置指定信号が受領されている限り、状態指定部５２からのオン状態信号の受領が途絶えても、ドラッグ制御が継続される。なお、このような処理は、例えば、ドラッグ制御継続中は、状態指定部５２からのオン状態信号の受領が途絶えてもオン状態信号を受領していると擬制して処理を行うことにより実現することができる。図９（ａ）には、図８（ｂ）と同様に、使用者がタッチパッド１４の操作面ＯＦを指で押圧して状態指定部５２のスイッチをオン状態とし、操作面ＯＦ上で指を移動させ、ドラッグ動作が行われている様子を示している。このとき、図９（ｂ）に示すように、使用者が操作面ＯＦの押圧を解除してスイッチがオフ状態となっても、使用者がタッチパッド１４の操作面ＯＦを指で触れている限り、ドラッグ動作は継続する。そして、図９（ｃ）に示すように、使用者がタッチパッド１４の操作面ＯＦから指を離した時点で、初めてドラッグ操作が終了される。ドラッグ動作が終了すると、虚像ＶＩ上の押下マークＰＰが非表示となる。
【００６６】
ドラッグ動作の終了後、操作制御部１１２は、ドラッグ動作中における位置指定信号が指定する位置の変化の速度が所定の閾値以上であったか否かを判定し（ステップＳ３５０）、速度が閾値以上であった場合には、使用者の操作がフリック操作であったと判断し、画像表示部２０にフリック操作に予め対応付けられた動作（フリック動作）を行わせる（ステップＳ３６０）。位置の変化の速度は、ドラッグ動作中における位置指定信号が指定する位置の履歴に基づき算出される。なお、速度が閾値より遅かった場合には、フリック動作を行わせることなく、処理を終了する。このように、本実施例におけるフリック操作は、状態指定部５２のスイッチを押下してオン状態とし、タッチパッド１４の操作面ＯＦにおける指の接触位置を所定の期間以上維持（固定）した後、指の接触位置を移動させ、スイッチを押下したときと別の位置で操作面ＯＦから指を離す操作であって、位置指定信号の指定する位置の変化の速度が所定の閾値以上である操作（すなわち、比較的短時間で操作面ＯＦにおける指の接触位置を移動させて、スイッチを押下した位置とは別の接触位置でタッチパッド１４の操作面ＯＦから指を離す操作）である。
【００６７】
以上説明した第１実施例における操作制御処理では、制御部１０は、タッチパッド１４の位置指定部５１からの位置指定信号と状態指定部５２からのオン状態信号とを継続して受領し、かつ、位置指定信号の指定する位置に所定の閾値以上の変化があった場合には、画像表示部２０にドラッグ動作を行わせる制御を開始し、ドラッグ動作の開始後は、位置指定信号が受領されている限り、オン状態信号の受領が途絶えてもドラッグ動作を継続する。そのため、使用者がドラッグ操作中に意図せずに操作面ＯＦの押圧を解除してスイッチがオフ状態となっても、ドラッグ操作が終了してしまうことがない。そのため、本実施例の頭部装着型表示装置１００における操作制御処理では、操作性を向上させることができる。
【００６８】
特に、本実施例の頭部装着型表示装置１００では、状態指定部５２のスイッチが、使用者による位置指定部５１の操作面ＯＦの接触・押圧操作によりオン状態となるように構成されているため、ドラッグ動作中に意図せずに操作面ＯＦの押圧を解除してしまい、スイッチがオフ状態となりやすい。本実施例の頭部装着型表示装置１００では、このような構成のタッチパッド１４においても、使用者の意図しないドラッグ動作の終了を回避することができ、操作性を向上させることができる。
【００６９】
また、同様に、ドラッグ動作の終了後、位置指定信号が指定する位置の変化の速度が所定の閾値以上であった場合には、フリック動作が行われるため、使用者が操作中に意図せずに操作面ＯＦの押圧を解除してスイッチがオフ状態となっても、それによってフリック動作が行われなくなることがなく、操作性を向上させることができる。
【００７０】
Ｂ．第２実施例：
図１０は、第２実施例における操作制御処理の流れを示すフローチャートである。また、図１１は、第２実施例におけるタッチパッド１４の操作状態に応じた虚像ＶＩの表示状態の一例を示す説明図である。図１０には、ドラッグ動作（図５のステップＳ２３０）の処理の流れを示している。図６に示した第１実施例との違いは、第２実施例では、ドラッグ動作継続中に、状態指定部５２からのオン状態信号が受領されなくなった場合には、画像表示部２０に所定の報知表示を行わせる点である。
【００７１】
すなわち、第２実施例では、第１実施例と同様に、操作制御部１１２が、位置指定信号に基づき指位置を検出し（ステップＳ５１０）、画像処理部１６０を介して画像表示部２０に指位置に応じたドラッグ表示を行わせる（ステップＳ５２０）。図１１（ａ）には、使用者がタッチパッド１４の操作面ＯＦを指で押圧して状態指定部５２のスイッチをオン状態とし、操作面ＯＦ上で指を移動させ、ドラッグ動作が行われている様子を示している。虚像ＶＩ上には、操作面ＯＦにおける指接触位置に対応する位置に、押下マークＰＰが表示されている。
【００７２】
ここで、第２実施例では、ドラッグ動作継続中に、状態指定部５２からのオン状態信号の受領が途絶え、スイッチがオフ状態であることが検出されると（ステップＳ５２２：ＹＥＳ）、操作制御部１１２は、虚像ＶＩ上の指位置に対応する位置に表示するマークを、押下マークＰＰから指位置マークＦＰに変更する（ステップＳ５２４）。図１１（ｂ）には、使用者が操作面ＯＦの押圧を解除してスイッチがオフ状態となり、虚像ＶＩ上に表示されるマークが指位置マークＦＰに変更された様子を示している。これにより、使用者に対して、操作面ＯＦの押圧が解除されてスイッチがオフ状態となったことを報知することができる。
【００７３】
その後、使用者が操作面ＯＦから指を離さず（ステップＳ５３０：ＮＯ）、再度、操作面ＯＦを押圧してスイッチをオン状態とすると（ステップＳ５３２：ＹＥＳ）、操作制御部１１２は、位置指定信号に基づき指位置を検出し（ステップＳ５１０）、虚像ＶＩ上の指位置に対応する位置に表示するマークを、指位置マークＦＰから押下マークＰＰに変更する（ステップＳ５２０）。図１１（ｃ）には、使用者が再度操作面ＯＦを押圧してスイッチをオン状態とし、虚像ＶＩ上に表示されるマークが押下マークＰＰに変更された様子を示している。これにより、使用者に対して、スイッチが再度オン状態となったことを報知することができる。また、使用者が操作面ＯＦから指を離さないが（ステップＳ５３０：ＮＯ）、操作面ＯＦを再度押圧しない状態では（ステップＳ５３２：ＮＯ）、位置指定信号に基づき指位置を検出し（ステップＳ５３４）、引き続き虚像ＶＩ上に指位置マークＦＰを表示する（ステップＳ５２４）。
【００７４】
ドラッグ表示中に、操作面ＯＦから指が離れたことが検出されると（ステップＳ５３０：ＹＥＳ）、操作制御部１１２はドラッグ動作を終了する（ステップＳ５４０）。図１１（ｄ）には、使用者がタッチパッド１４の操作面ＯＦから指を離したためにドラッグ操作が終了し、虚像ＶＩ上の押下マークＰＰが非表示となった状態を示している。
【００７５】
なお、第１実施例と同様に、ドラッグ動作の終了後、位置指定信号が指定する位置の変化の速度が所定の閾値以上であった場合には（ステップＳ５５０：ＹＥＳ）、フリック動作が行われる（ステップＳ５６０）。
【００７６】
第２実施例においてフリック動作（図６のステップＳ３６０）が行われる場合にも、ドラッグ動作継続中に、状態指定部５２からのオン状態信号が受領されなくなった場合には、画像表示部２０に所定の報知表示を行わせる。
【００７７】
以上説明した第２実施例における操作制御処理では、第１実施例と同様に、制御部１０は、タッチパッド１４の位置指定部５１からの位置指定信号と状態指定部５２からのオン状態信号とを継続して受領し、かつ、位置指定信号の指定する位置に所定の閾値以上の変化があった場合には、画像表示部２０に対するドラッグ動作を開始し、ドラッグ動作の開始後は、位置指定信号が受領されている限り、オン状態信号の受領が途絶えてもドラッグ動作を継続する。そのため、使用者がドラッグ操作中に意図せずに操作面ＯＦの押圧を解除してスイッチがオフ状態となっても、ドラッグ操作が終了してしまうことがないため、操作性を向上させることができる。
【００７８】
また、第２実施例の操作制御処理では、ドラッグ動作の継続中にオン状態信号が受領されなくなった場合には、操作制御部１１２は、虚像ＶＩの表示マークを押下マークＰＰから指位置マークＦＰに変更させることにより、使用者に報知を行う。そのため、第２実施例の操作制御処理では、使用者に、操作面ＯＦの押圧を解除してスイッチをオフ状態としてしまったことを認識させることができ、さらに操作性を向上させることができる。
【００７９】
Ｃ．変形例：
なお、この発明は上記の実施例や実施形態に限られるものではなく、その要旨を逸脱しない範囲において種々の態様において実施することが可能であり、例えば次のような変形も可能である。
【００８０】
Ｃ１．変形例１：
上記実施例における頭部装着型表示装置１００の構成は、あくまで一例であり、種々変形可能である。例えば、上記実施例では、タッチパッド１４の位置指定部５１として静電容量式のタッチパッドが用いられるとしているが、抵抗膜式や圧力検出式、光学式といった他の方式のタッチパッドが用いられるとしてもよい。また、上記実施例におけるタッチパッド１４の構成は、状態指定部５２のスイッチが位置指定部５１の操作面ＯＦへの接触・押圧操作によりオン状態となるように構成されていれば、種々変形可能である。さらに、本発明は、スイッチが操作面への接触・押圧操作によりオン状態となる構成に限らず、操作面を有すると共に操作面への接触操作を検出して接触位置に応じた位置指定信号を出力する位置指定部と、第１の状態と第２の状態との間で切り替わるスイッチを有すると共にスイッチが第１の状態にある間は第１の状態信号を出力する状態指定部と、を含む操作部を有する情報処理装置に適用可能である。すなわち、例えば、位置指定部の操作面への接触操作無しに、状態指定部のスイッチをオン状態とすることが可能な操作部を有する情報処理装置にも適用可能である。また、スイッチは、タッチパッド１４の端面側に設けられてもよいし、光スイッチのように、押圧する操作によるタッチパッド１４の位置の動きを検出してオン状態／オフ状態が切り替わるスイッチであってもよい。
【００８１】
また、上記実施例では、タッチパッド１４の位置指定部５１の操作面ＯＦの領域と虚像ＶＩ表示のための有効な画像表示領域とが１対１で対応した絶対座標方式を採用しているが、操作面ＯＦの領域と虚像ＶＩ表示のための有効な画像表示領域とが１対１で対応していない相対座標方式を採用することも可能である。
【００８２】
また、上記実施例において、制御部１０に設けられた十字キー１６を省略したり、十字キー１６やタッチパッド１４に加えて操作用スティック等の他の操作用インターフェイスを設けたりしてもよい。また、制御部１０は、キーボードやマウス等の入力デバイスを接続可能な構成であり、キーボードやマウスから入力を受け付けるものとしてもよい。また、制御部１０に無線ＬＡＮ等の通信部を設けてもよい。
【００８３】
また、上記実施例では、制御部１０と画像表示部２０とが接続部４０により有線接続されるとしているが、制御部１０と画像表示部２０とが、無線ＬＡＮや赤外線通信、Bluetooth（ブルートゥース）等の信号伝送路を介して接続されるとしてもよい。
【００８４】
上記実施例では、画像表示部２０が眼鏡のように装着するＨＭＤであるとしているが、画像表示部２０が通常の平面型ディスプレイ装置（液晶ディスプレイ装置、プラズマディスプレイ装置、有機エレクトロルミネッセンス（Electro-Luminescence：ＥＬ）ディスプレイ装置等）であるとしてもよい。この場合にも、制御部１０と画像表示部２０との間の接続は、有線の信号伝送路を介した接続であってもよいし、無線の信号伝送路を介した接続であってもよい。このようにすれば、制御部１０を、通常の平面型ディスプレイ装置のリモコンとして利用することができる。
【００８５】
また、画像表示部として、眼鏡のように装着する画像表示部２０に代えて、例えば帽子のように装着する画像表示部といった他の形状の画像表示部を採用してもよい。また、イヤホン３２，３４は省略してもよい。
【００８６】
また、上記実施例では、画像光を生成する構成として、ＬＣＤと光源とを利用しているが、これらに代えて、有機ＥＬディスプレイといった他の表示素子を採用してもよい。
【００８７】
また、上記実施例では、頭部装着型表示装置１００は、両眼タイプの光学透過型頭部装着型表示装置であるとしているが、本発明は、例えばビデオ透過型や非透過型、単眼タイプといった他の形式の頭部装着型表示装置にも同様に適用可能である。さらに、本発明は、頭部装着型表示装置に限らず、パーソナルコンピューターやプロジェクター、テレビといった情報処理装置の操作にも適用可能である。
【００８８】
また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、上記実施例では、画像処理部１６０や音声処理部１７０は、ＣＰＵ１４０がコンピュータープログラムを読み出して実行することにより実現されるとしているが、これらの機能部はハードウェア回路により実現されるとしてもよい。
【００８９】
また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。
【００９０】
Ｃ２．変形例２：
上記実施例において、頭部装着型表示装置１００は、使用者の左右の眼に同じ画像を表す画像光を導いて使用者に二次元画像を視認させるとしてもよいし、使用者の左右の眼に異なる画像を表す画像光を導いて使用者に三次元画像を視認させるとしてもよい。
【００９１】
また、上記実施例では、外部機器ＯＡからコンテンツデータが供給されるとしているが、頭部装着型表示装置１００の制御部１０の記憶部１２０にコンテンツデータが格納され、記憶部１２０に格納されたコンテンツデータに基づき画像表示が行われるとしてもよい。
【００９２】
Ｃ３．変形例３：
上記実施例では、ドラッグ動作の開始後は、位置指定信号が受領されている限り、オン状態信号の受領が途絶えてもドラッグ動作を継続するとしているが、オン状態信号の受領が無い期間が所定の期間に達した場合には、ドラッグ動作を終了するとしてもよい。オン状態信号の受領が無い期間がある程度長い場合には、それが使用者の意図的な操作であるとも考えられるため、このようにすれば、使用者の混乱を避けることができ、操作性をさらに向上させることができる。なお、ここで言う所定の期間は、本発明における第１の期間に相当する。
【００９３】
また、上記第２実施例では、ドラッグ動作の開始後、オン状態信号の受領が途絶えると、押下マークＰＰを指位置マークＦＰに変更して、スイッチがオフ状態になったことを使用者に報知するものとしているが、他の報知方法を採用することも可能である。例えば、操作面ＯＦの指接触位置を示す表示とは独立して、スイッチがオフ状態になったことを示すメッセージやマークを虚像ＶＩ内に表示するとしてもよい。
【００９４】
また、報知表示は、固定的である必要はなく、時間の経過と共に表示が変化するとしてもよい。このようにすれば、使用者に報知を気付かせやすい。また、オン状態信号の受領が無い期間が所定の期間に達するとドラッグ動作を終了するとする場合に、残り時間を表示し、使用者に再度スイッチをオン状態とすることを促すものとしてもよい。
【符号の説明】
【００９５】
１０…制御部
１２…点灯部
１４…タッチパッド
１６…十字キー
１８…電源スイッチ
２０…画像表示部
２１…耳掛部
２２…右表示駆動部
２４…左表示駆動部
２６…右光学パネル
２８…左光学パネル
３２…右イヤホン
３４…左イヤホン
４０…接続部
４２…右ケーブル
４４…左ケーブル
４６…連結部
４８…本ケーブル
５１…位置指定部
５２…状態指定部（スイッチ）
５３…緩衝材
５４…支点
１００…頭部装着型表示装置
１１０…操作部
１１２…操作制御部
１２０…記憶部
１３０…電源
１４０…ＣＰＵ
１６０…画像処理部
１７０…音声処理部
１８０…インターフェイス
１９０…表示制御部
２２１…右光源
２２２…左光源
２５１…右投写光学系
２５２…左投写光学系
２６１…右導光板
２６２…左導光板
【図１】
2012164033.tif 000003
【図２】
2012164033.tif 000004
【図３】
2012164033.tif 000005
【図４】
2012164033.tif 000006
【図５】
2012164033.tif 000007
【図６】
2012164033.tif 000008
【図７】
2012164033.tif 000009
【図８】
2012164033.tif 000010
【図９】
2012164033.tif 000011
【図１０】
2012164033.tif 000012
【図１１】
2012164033.tif 000013